(57)【要約】      （修正有）【課題】化粧の品質に弊害を及ぼさないで睫毛をカールする。【解決手段】睫毛をカールするための、睫毛に対し塗布するための薬剤を収容する容器を閉じないように設計する装置１であって、ヒータ部材４、及び睫毛を中に係合させることの出来る空間を互いの間に残す突出要素６の少なくとも一つの列５を含み、ヒータ部材４と突出要素６の列５が、睫毛をヒータ部材４に接触させないで睫毛を分離するため突出要素６を用いるか又は、ヒータ部材４が放出する熱を睫毛に受けさせながら、睫毛をカールするかのいずれかを選択的にできるようにした睫毛をカールする方法と装置。【選択図】図１
2005193020.tif 000002
【特許請求の範囲】
【請求項１】
睫毛に対し塗布する薬剤を収容する容器を閉じないように設計され、睫毛をカールする装置（１）であって、
ヒータ部材（４）と、
その中に睫毛を係合させることの出来る空間（１５）を互いの間に残す突出要素（６）の列（５）少なくも一つと、を含み、
ヒータ部材（４）と突出要素（６）の列（５）とは、睫毛をヒータ部材（４）に接触させないで睫毛を分離するため突出要素（６）を用いるか又は、ヒータ部材（４）が放出する熱を睫毛に受けさせながら、睫毛をカールするかのいずれかを選択的にできるように構成されたことを特徴とする装置。
【請求項２】
前記突出要素（６）の列（５）の少なくも一つが、ヒータ部材（４）全長の少なくも一部にわたって、それとほぼ並行に伸びること、を特徴とする請求項１に記載の装置。
【請求項３】
前記突出要素の列少なくも一つが、ヒータ部材の片側全体に伸びること、を特徴とする請求項１又は２に記載の装置。
【請求項４】
容器に固定するためのスカートを有しないこと、を特徴とする請求項１〜３のいずれか一項に記載の装置。
【請求項５】
装置が、それを容器に固定するため内側にねじのあるスカートを有しないこと特徴とする請求項１〜４のいずれか一項に記載の装置。
【請求項６】
装置用把手部材と、前記突出要素の列少なくも一つとともにヒータ部材を担う装置の頭部（３）との間に伸びる環状に円筒形の棒を有しないことを特徴とする請求項１〜５のいずれか一項に記載の装置。
【請求項７】
ワイパーがないことを特徴とする請求項１〜６のいずれか一項に記載の装置。
【請求項８】
ヒータ部材（４）が、加熱中に電気を伝達することを特徴とする請求項１〜７のいずれか一項に記載の装置。
【請求項９】
少なくも7本の突出要素を有する突出要素の列（５）を、少なくも一つを含むこと特徴とする請求項１〜８のいずれか一項に記載の装置。
【請求項１０】
7本乃至35本の範囲に入る数の突出要素を有する突出要素の列（５）を、少なくも一つを含むこと特徴とする請求項１〜９のいずれか一項に記載の装置。
【請求項１１】
それぞれがヒータ部材（４）の反対側に配置される突出要素（６）の列（５）二つを含むことを特徴とする請求項１〜１０のいずれか一項に記載の装置。
【請求項１２】
列（５）が、ヒータ部材（４）の縦軸（Ｘ）を含む対称中央面（Ｐ）に関し対称的に配置されることを特徴とする請求項１１に記載の装置。
【請求項１３】
突出要素（６）が、プラスチック材料の成形により作られる歯を含むことを特徴とする請求項１〜１２のいずれか一項に記載の装置。
【請求項１４】
突出要素（６）が、プラスチック材料の成形により支持体（８）と一体で作られる歯を含むことを特徴とする請求項１〜１３のいずれか一項に記載の装置。
【請求項１５】
ヒータ部材が、支持体（８）上に配置されることを特徴とする請求項１４に記載の装置。
【請求項１６】
ヒータ部材（４）を担う部分（８ｃ）に固定される突出要素を、少なくも一つを含むことを特徴とする請求項１〜１３のいずれか一項に記載の装置。
【請求項１７】
ヒータ部材（４）を担う部分（８ｃ）に対し固定される突出要素の列を、少なくも一つを含むことを特徴とする請求項１６に記載の装置。
【請求項１８】
それぞれが歯列を担う側方部分二つを有し、これらの側方部分（８ａ、８ｃ）が中央部分（８ｃ）に固定されることを特徴とする請求項１〜１７のいずれか一項に記載の装置。
【請求項１９】
ヒータ部材（４）が、中央部分（８ｃ）に配置されることを特徴とする請求項１８に記載の装置。
【請求項２０】
突出要素（６）の高さが、約1mm〜約15mmの範囲に入ることを特徴とする請求項１〜１９のいずれか一項に記載の装置。
【請求項２１】
突出要素の高さが、約3mm〜10mmの範囲に入ることを特徴とする請求項１〜２０のいずれか一項に記載の装置。
【請求項２２】
少なくも一つの列（５）の突出要素（６）の自由端（１１）が、瞼の曲面に一致して外向きに窪む線（Ｃ）に配置されることを特徴とする請求項１に記載の装置。
【請求項２３】
ヒータ部材（４）が、外向きに窪む曲線状縦軸に沿って伸びることを特徴とする請求項１に記載の装置。
【請求項２４】
突出要素が、装置の縦方向中央面（Ｐ）に対しほぼ平行の方向を向くことを特徴とする請求項１〜２３のいずれか一項に記載の装置。
【請求項２５】
突出要素（６）が、装置の縦方向中央面（Ｐ）に向く方向を指す自由端（１１）を有することを特徴とする請求項１〜２３のいずれか一項に記載の装置。
【請求項２６】
突出要素（６）が、装置の縦方向中央面（Ｐ）から離れる方向を指す自由端（１１）を有することを特徴とする請求項１〜２３のいずれか一項に記載の装置。
【請求項２７】
一列の突出要素（６）が、装置を横からその縦軸に対して直角の方向で見ると、互いの間に空間（１５）を形成するように構成されることを特徴とする請求項１〜２６のいずれか一項に記載の装置。
【請求項２８】
空間（１５）が、Ｖ型ねじの形をしていることを特徴とする請求項２７に記載の装置。
【請求項２９】
突出要素（６）が、ヒータ部材（４）の達する最高温度に耐える能力のあるプラスチック材料で作られることを特徴とする請求項１〜２８のいずれか一項に記載の装置。
【請求項３０】
ヒータ部材（４）に接続される独立電源を含むことを特徴とする請求項１〜２９のいずれか一項に記載の装置。
【請求項３１】
装置が、保護キャップを有することを特徴とする請求項１〜３０のいずれか一項に記載の装置。
【請求項３２】
キャップが、スナップ留めで装置の残余部分に固定されることを特徴とする請求項３１に記載の装置。
【請求項３３】
突出要素が、その自由端に向かって次第に細くなる形状のものであることを特徴とする請求項１〜３２のいずれか一項に記載の装置。
【請求項３４】
一列の突出要素が、交互に幾何学的分離面（Ｓ）の両側に伸びることを特徴とする請求項１〜３３のいずれか一項に記載の装置。
【請求項３５】
装置が、外向きに窪む面（９）を有する支持体（８）を含むことを特徴とする請求項１〜３４のいずれか一項に記載の装置。
【請求項３６】
装置が、瞼をヒータ部材（４）と接触するのに対し防護するためのリブ（１３）を含むことを特徴とする請求項１〜３５のいずれか一項に記載の装置。
【請求項３７】
リブ（１３）が、装置の縦軸（Ｘ）に対し横方向に伸びることを特徴とする請求項３６に記載の装置。
【請求項３８】
リブ（１３）が、丸味のある頭頂部縁を示すことを特徴とする請求項３６〜３７のいずれか一項に記載の装置。
【請求項３９】
ヒータ部材（４）が、睫毛が係合することの出来る空間を限定しないことを特徴とする請求項１〜３８のいずれか一項に記載の装置。
【請求項４０】
i．ヒータ部材（４）の両側にそれぞれ配置される突出要素（６）の二つの列（５）を備え、任意の一列の突出要素が、対応する幾何学的分離面（Ｓ）の両側に交互に伸び、
ii．突出要素を担う、外向きに窪む面（９）を有する支持体（８）を備え、
iii．瞼をヒータ部材（４）と接触するのに対して防護するため、装置の縦軸（Ｘ）に対し横方向に伸び、丸味のある頭頂部縁を示すリブ（１３）を備えること、
を特徴とする請求項１に記載の装置。
【請求項４１】
i．ヒータ部材（４）の両側にそれぞれ配置される突出要素（６）の二つの列（５）を備え、いずれか一方の列の突出要素が完全に整列しており、
ii．突出要素を担う、外向きに窪む面（９）を有する支持体（８）を備え、
iii．瞼をヒータ部材（４）と接触するのに対して防護するため、装置の縦軸（Ｘ）に対し横方向に伸び、丸味のある頭頂部を示すリブ（１３）を備えること、
を特徴とする請求項１に記載の装置。
【請求項４２】
睫毛をカールするための装置（１）であって、
支持体（８）と、
支持体（８）に固定されるヒータ部材（４）と、
成形材料により支持体（８）と共に製造され、その中に睫毛を係合することの出来る空間（１５）を互いの間に残す突出要素の列（５）を少なくも一つの列（５）とを備え、ヒータ部材（４）と突出要素（６）の列（５）とが、睫毛を突出要素の間に係合させながら、突出要素を用いて睫毛をヒータ部材（４）に接触させないで分離するか又は、ヒータ部材（４）が放出する熱を睫毛に受けさせながら睫毛をカールするかのいずれかを、選択的にできるように構成されることを特徴とする装置。
【請求項４３】
睫毛をカールするための装置（１）であって、
湾曲する軸に沿って配置されるヒータ部材（４）と、
湾曲する軸、特にヒータ部材の軸にほぼ平行な軸、に沿って伸びる突出要素（６）の少なくとも一つの列（５）とを備え、その突出要素は、その中に睫毛を係合させることが出来る空間（１５）を互いの間に残しており、ヒータ部材（４）と突出要素（６）の列（５）とは、突出要素（６）を用いて睫毛をヒータ部材（４）に接触させないで分離するか又は、ヒータ部材（４）が放出する熱を睫毛に受けさせながら、睫毛をカールするかのいずれかを、選択的にできるように構成されることを特徴とする装置。
【請求項４４】
睫毛をカールするための装置（１）であって、
ヒータ部材と、
睫毛を中で係合させることの出来る空間を互いの間に残す突出要素の少なくとも一つの列とを備え、使用に当たって突出要素はヒータ部材に対し確保され、ヒータ部材と突出要素の列とは、突出要素を用いて睫毛をヒータ部材に接触させないで分離するか又は、ヒータ部材が放出する熱を睫毛に受けさせながら、睫毛をカールするかのいずれかを選択的に可能にするように配置される突出要素の列と、
突出要素保護用キャップ（２０）を更に備え、前記キャップは使用しないとき突出要素の乾燥を維持すること、
を特徴とする装置。
【請求項４５】
睫毛をカールするための装置（１）であって、
ヒータ部材と、
睫毛を中で係合させることの出来る空間を互いの間に残す突出要素の少なくとも一つの列とを備え、
縦方向中央面を有し、突出要素の列の中の少なくも幾つかの突出要素は、その自由端に進むに連れ、好適には前記縦方向中央面と10°乃至45°の範囲に入る角度を作って、縦方向中央面から離れる方向を指すことを特徴とする装置。
【請求項４６】
角度が、15°乃至40°の範囲に入ることを特徴とする請求項４５に記載の装置。
【請求項４７】
角度が、20°乃至35°の範囲に入ることを特徴とする請求項４５に記載の装置。
【請求項４８】
睫毛をカールする方法であって、
薬剤、特にマスカラ、を睫毛に塗布した後、前記請求項のいずれかに定義した装置の突出要素（６）の列（５）少なくも一つを用いて、この操作の間、如何なる長さの時間をも睫毛にヒータ要素（４）が放出する熱を受けさせることなく、睫毛を分離するステップと、
ヒータ要素が放つ熱を睫毛に受けさせながら、睫毛をカールするステップと、
を含むことを特徴とする方法。
【請求項４９】
請求項１乃至４１のいずれか一項に定義された装置を用いて睫毛をカールする方法であって、
ヒータ要素が放出する熱を睫毛に受けさせながら、睫毛を突出要素（６）の間に係合させたままに保ちつつ、睫毛をカールすることを含むことを特徴とする方法。
【発明の詳細な説明】
【技術分野】
【０００１】
本発明は睫毛をカールするための装置であって、ヒータ部材を含む装置に関する。
【背景技術】
【０００２】
当該の装置は、米国特許５  ５８３  ０１０、６  ００９  ８８４号及び６  ２２０  ２５２号から公知である。
【０００３】
これらの装置は、予めマスカラを施した睫毛をカールするためには、完全に満足できるものではない。それは、熱の影響によりマスカラが液化する傾向があるため、睫毛同士がまつわりつき易く、これが化粧の品質を低下させるからである。中には、十分に改良されてない方法で睫毛をカールする場合もある。
【発明の開示】
【発明が解決しようとする課題】
【０００４】
国際出願ＷＯ  ９９／２２７８２は、加熱ブラシ及び加熱ブラシとは別個のヒータ部材を含む装置を開示している。この装置は、別のヒータ部材が加熱されている時に、ブラシが加熱されないで使用できるようには設計されていない。
【０００５】
出願ＥＰ  ０８４８９２０、国際出願ＷＯ  ００／４０１１２、及び日本国出願ＪＰ  ２００３−３１０３３５、ＪＰ  ２００３−３１０３３６、並びにＪＰ  １−０５６４４４は、睫毛をカールするための装置に関する。これらは、ヒータ部材の放出する熱に睫毛を曝すことなく分離するための突出要素を有しない。
【課題を解決するための手段】
【０００６】
そこに化粧の品質に弊害を及ぼさないで睫毛をカールする必要性がある。
【０００７】
本発明は、これらの必要を満たすことを具体的に模索する。
【０００８】
本発明の一実施例において、睫毛をカールするために、睫毛に塗布する薬剤を収容する容器を閉じないように設計する装置であって、
ヒータ部材、及び
互いの間に係合させることのできる空間を持つ突出要素の少なくとも一つの列を含む装置を用いることによりこの目的を達成する。
【０００９】
突出要素は、使用中はヒータ部材に固定されたままである。
【００１０】
ヒータ部材と突出要素の列は、睫毛をヒータ部材に接触させないで分離するために突出要素を使用するか、又はヒータ部材が放出する熱に睫毛を曝してカールさせるかの、いずれかを選択的にできるように構成される。
【００１１】
したがって、この装置は、例えば、それを容器に固定するためのスカートは必要ない。特に、内側に溝のあるスカートを必要としない。
【００１２】
本装置は、例えば第１には突出要素の少なくも一つの列とヒータ部材を担うヘッドと、第２には装置用ハンドル部材との間に伸びる環状円筒棒を持つ必要がない。
本装置はワイパーなどを備える必要がない。
【００１３】
本装置は、内側が空で透明な保護キャップなどを含んでもよい。
【００１４】
本発明は、特に、睫毛がまつわりつく危険を軽減し、化粧の品質を改善することを可能にする。
【００１５】
一実施例において、本発明は、睫毛をカールするための装置を提供する。その装置は、
支持体、
支持体に固定されるヒータ部材、及び
成形材料により支持体と共に作製され、互いの間に睫毛を係合させることのできる空間を持つ突出要素の少なくとも一つの列を含み、ヒータ部材と突出要素の列は、睫毛を突出要素の間に係合させながら、突出要素を用いて睫毛をヒータ部材に接触させないで分離するか、又は、ヒータ部材が放出する熱に睫毛を曝しながら睫毛をカールするかのいずれかを選択的にできるように配置される。
【００１６】
別の側面で本発明は、睫毛をカールするための装置を提供する。その装置は、
概ね湾曲する軸に沿って配置されるヒータ部材、
概ね湾曲する軸、とりわけヒータ部材の軸にほぼ平行な軸に沿って伸びる突出要素の少なくも一つの列を含み、その突出要素は、互いの間に睫毛を係合させることができる空間を持ち、ヒータ部材と突出要素の列は、睫毛をヒータ部材に接触させないで睫毛を分離するため突出要素を用いるか又は、ヒータ部材が放出する熱を睫毛に曝しながら、睫毛をカールするかのいずれかを選択的にできるように配置される。
【００１７】
別の特徴から本発明はまた、睫毛をカールするための装置を提供する。その装置は、
ヒータ部材、
互いの間に睫毛を係合させることのできる空間を持つ突出要素の少なくも一つの列を含み、前記突出要素が使用中にヒータ部材に固定され、ヒータ部材と突出要素の列は、突出要素を用いて睫毛をヒータ部材に接触させないで分離するか又は、ヒータ部材が放出する熱に睫毛を曝しながら、睫毛をカールするかのいずれかを選択的にできるように構成され、及び
突出要素保護用キャップを更に含み、前記キャップは使用しないとき突出要素の乾燥を維持する。
【００１８】
用語「乾燥を維持する」とは、突出要素が液体又は半液状薬剤に浸されないとの意味で用いられ、キャップは睫毛に塗布するための薬剤で満たされていない。
【００１９】
本発明の１実施例においては、前記の少なくも一列の突出要素が、ヒータ部材全長の少なくも一部、例えばその片側全部に沿って、それとほぼ平行に伸びる。
【００２０】
ヒータ部材には、加熱中に電気を流してもよい。一つの変形においては、ヒータ部材は少なくも一方の端部で加熱され、熱が伝導によりヒータ部材全長に沿って伝搬するようにしてもよい。
【００２１】
本発明の更に別の実施例において本装置は、睫毛を分離するのに十分な多数の突出要素、例えば少なくも7本の突出要素を有する突出要素の少なくとも一つの列を含む。具体的に突出要素の数は、例えば7本〜30本、又は7本〜35本の範囲である。
【００２２】
一例として、突出要素の高さは、約1mm〜約15mmの範囲内であり、特に、睫毛の分離のため適切なのは、約3mm〜約10mmの範囲内である。
【００２３】
更に一実施例において本装置は、それぞれがヒータ部材上の相対した側に、例えばヒータ部材の縦軸を含む対称な中央平面に対称になるように配置される突出要素の列を少なくも二列を含む。
【００２４】
二列の突出要素が存在することにより、とりわけ装置を左利きの人も右利きの人も同様に上手く使用することが可能になる。
【００２５】
一実施例においては、突出要素が、プラスチック材料の成形により作製される歯、特に、ヒータ部材が配置される支持体と一体に成形される歯を含む。
【００２６】
少なくも一列の中の突出要素の自由端は、瞼の曲面に合わせて外向きに窪む線上に配置してもよい。
【００２７】
一例として、ヒータ部材は同様に、外向きに窪む軸に沿って伸びてもよい。
【００２８】
一例として、突出要素は、装置の縦軸方向中央平面に対しほぼ並行な向きでよい。
【００２９】
一変形においては、突出要素がそれぞれ、上述の中央平面の方向を指すか又は上述の中央平面から離れる方向を指す自由端を有する。
【００３０】
一列の突出要素は、装置をその側方から、特にその縦軸に直角の方向から見るとき、その中に睫毛が係合できる空間を互いの間に形成するように構成してもよい。
【００３１】
一例として、これらの空間は、例えば、それぞれが自由端に向かって次第に細くなる形であるか、又は装置の縦軸に対し斜めの方向を向いていて、装置を側方から見ると互いに交叉する突出要素により、Ｖ字の溝の形をしていてもよい。
【００３２】
突出要素は、ヒータ部材の達する最高温度に耐え得るプラスチック材料で作製してもよく、それによりヒータ部材と突出要素との間、又はヒータ部材と突出要素のための突出要素と一体で作られる支持体との間に、いかなる特別な熱絶縁を施す必要性をも回避することができる。
【００３３】
本装置は、ヒータ部材に接続される独自の電源を含んでもよく、少なくも一つの電池又は蓄電池などを含んでもよい。
【００３４】
本発明はその別の特徴からもまた、睫毛をカールするための装置を提供する。その装置は、
装置のヘッドの面上に伸びるヒータ部材、及び
互いの間に睫毛を係合させることのできる空間を持つ突出要素の列を少なくも一列を含み、前記突出要素の列は、使用中はヒータ部材に固定され、前記面上のヒータ部材の片側の上にだけ全体に亘って伸びる。一例として、上述の面は突出要素の端部が窪んだ形になってもよい。
【００３５】
本発明はまた、上述の内容とは無関係に、あるいは上述の内容との組合せで、睫毛に塗布する薬剤を収容する容器を閉じない設計の睫毛をカールするための装置を提供する。その装置は、
ヒータ部材及び、
睫毛がヒータ部材に接触することなく互いの間に睫毛が係合されるように配置され、ヒータ部材に固定される突出要素の列が少なくも一列、特に、7個以上の突出要素、を含む。
【００３６】
本発明はまた、上述の内容とは無関係に、あるいは上述の内容との組合せで、睫毛をカールするための装置を提供する。その装置は、
ヒータ部材、及び
互いの間に睫毛を係合させることのできる空間をもつ少なくも一列の突出要素、を含む。
【００３７】
その装置は、縦軸方向中央平面を有し、突出要素の列の中の少なくも幾つかの突出要素は、その縦軸方向中央平面から自由端へと続く方向を指し、縦軸方向中央平面と10°〜45°の範囲、好適には15°〜40°、さらに好適には20°〜35°の範囲の角度、例えば約25°を成す。
【００３８】
本発明はまた、睫毛をカールするための方法を提供する。その方法は以下の各ステップ、
薬剤、とりわけマスカラを睫毛に塗布した後、突出要素の少なくも一列を用いて、この操作の間長時間にわたって睫毛をヒータ部材が放出する熱に曝すことなく、睫毛を分離するステップ、及び
ヒータ要素が放出する熱に睫毛を曝して、睫毛をカールするステップを含んでいる。
【００３９】
また別の特徴により本発明は、上に定義する装置のうちいずれか一つを用いて睫毛をカールする方法を提供する。その方法では、
上述の突出要素の間に睫毛を係合させたまま保ちながら、ヒータ部材が放出する熱に睫毛を曝して、睫毛をカールする。
【発明を実施するための最良の形態】
【００４０】
本発明は、非限定的実施例に関する以下の詳細説明を読み、添付図面を検討することにより、更に良く理解できる。
【実施例】
【００４１】
図１は、本発明に従って作成される装置１を示し、電源を収容するハウジング２、及び縦軸Ｘを有しヒータ部材４と突出要素６の列５を少なくも、一列、詳細には記述例では二つの列である列５、を含むヘッド３を含む。
【００４２】
一例として、電源は一つ以上の電池又は蓄電池を含む。
【００４３】
図３を見ると、ヘッド３は、概ね外向きに窪んだ形の面９のある支持体８を含んでいるのが分かる。
【００４４】
ヘッド３は、使用しないとき、ねじ止めで固く締めるか又は留め金などにより、ハウジング２に対し固定することのできるキャップ２０により保護することができる。一例として、キャップ２０は透明にすることができる。
【００４５】
ヒータ部材４は、図４で見られるように、面９と接触し、中央平面Ｐにある曲線状の軸に沿って伸びる。
【００４６】
列５はそれぞれ、複数の突出要素６を含む。この要素は、例えば、支持体８を作製するのに用いられるのと同一のプラスチック材料を成形し支持体と一体となるように作製され、歯は各々実質的に縦軸Ｘを横切って伸びる。
【００４７】
記述した実施例において、各突出要素６は、その根元で面９に接続されているが、ここには示さない変形においては、突出要素を別の方法で支持体８に接続することが出来る。例えば、その面の反対側から伸ばすことが出来る。
【００４８】
図３で、各列５の突出要素６の自由端１１が、外向きに窪んでおり瞼の湾曲に一致する曲線Ｃの上にあることも分かる。
【００４９】
図２に示す例では、与えられる列にある突出要素６全部が、実質的に軸Ｘと平行に並んでおり、二つの列の列５は、ヒータ部材４の両側に、面Ｐに対して互いにほぼ対称な位置に配置されている。
【００５０】
ヒータ部材４の最大温度は、約30℃〜約90℃の範囲、詳細には約35℃〜70℃、又は約40℃〜約90℃の範囲である。
【００５１】
一例として、ヒータ部材４はニクロム線を用いて構成してもよい。
【００５２】
支持体８の上にリブ１３を作って、瞼がヒータ部材４と接触するのを防止してもよい。図３で見られるように、これらのリブ１３は突出要素６の高さに比べると相対的に高さが低く、その最大高さは突出要素６の高さの約４分の１以下である。
【００５３】
これらのリブ１３は、縦軸Ｘを概ね横切って伸び、丸味のある上縁部を示す。適切な場合は、リブ１３がヒータ部材４を支持体８の上に保持するのに役立つ。
【００５４】
列５それぞれの突出要素６の数は、睫毛を分離するため適切な7本〜30本の範囲、又は7本〜35本の範囲である。一例として、この数は示したように9本でもいいし、又は9本より多い11本以上でもよい。突出要素６の数は、リブ１３又は、具体的にはヒータ部材４に被せてそれを保持するため使用するその他の要素の数よりも多い。
【００５５】
図示例において、ヒータ部材４は、睫毛が係合することのできる空間を固定しない。それは、ヒータ部材が巻線の接触しない螺旋コイルである場合など、それにより睫毛が巻線の間に係合する可能性が十分考えられるからである。
【００５６】
記述例において、同一列５の中で連続する突出要素６は、それとの間に上向きに開く空間１５を画定し、装置１の使用の際に、睫毛の少なくも一本がその中に係合することが可能である。この空間１５の高さは、突出要素６の長さによって定まる。一例として、これらの要素は長さが約1mm〜約15mmの範囲、特に約3mm〜約10mmの範囲でもよい。
【００５７】
装置１を使用する方法の例を、図５〜８を参照して以下に記述する。
【００５８】
ここには示さない塗布具を用いて、マスカラなどの薬剤が既に睫毛Ｅに塗布されているものと仮定するが、装置１は、適切な場合であれば予め何の薬剤も塗布されていなくとも使用することができる。
【００５９】
装置１を使用するため、ユーザは、突出要素６の列５を用いて睫毛Ｅを分離することなどから始めることが出来る。この睫毛は、記述例において目の横に位置する別の列には係合しない。睫毛Ｅは、ヒータ部材４が放出する熱は受けない。
【００６０】
その後、図６に示すように、睫毛Ｅを突出要素６の間に係合させたままに保持しながら、ヒータ部材４の放出する熱を受けるようユーザはヒータ部材４を睫毛に向かって動かすことが出来る。
【００６１】
次いで、図７に示すように、ユーザは睫毛をカールする目的で、特にヒータ部材４を用いて、睫毛Ｅに後ろ向きに押す力を加えることが出来る。
【００６２】
睫毛Ｅは、この操作の間突出要素６の間に係合したままなので、ヒータ部材４の作用の下で薬剤が熔解することにより睫毛が束になる危険性を軽減するのに役立つ。
【００６３】
一旦睫毛がカールすると、適切な場合には図８に示すように、この場合もヒータ部材４を睫毛Ｅから離したまま、突出要素６を用いて梳くことにより、これらは互いに分離される。
【００６４】
当然乍ら、本発明は上述の実施例に限定されるものではない。
【００６５】
図４を検討すると、突出要素６の各々の縦軸は中間面Ｐに対しほぼ平行であることが分かる。しかしこれは、図９及び１０に詳細に示すように、必要ではない。
【００６６】
図９の例において、二つの列５の突出要素６は、平面Ｐから離れる方向を指す自由端１１を有する。
【００６７】
図１０の例において、突出要素６は、平面Ｐに向かう方向を指す自由端１１を有する。
【００６８】
図１１の例において、突出要素の自由端１１は、支持体８の縦軸に平行な軸など、一つの共通軸にほぼ沿って置かれている。
【００６９】
この構成においては、突出要素６は睫毛がヒータ部材４と接触するのを防止しているので、リブ１３が省略されている。
【００７０】
図１２の例においては、頭部３をその縦軸に沿って眺めるとき突出要素の端が交叉している。
【００７１】
二つの列５の突出要素が交叉するのを容易にするには、図１６に示すように、要素を交互にずらせて配置し一つの列の突出要素６ａが別の列の突出要素６ｂに対し軸方向に位置がずれるようにする。
【００７２】
突出要素６は、図４に示す例に特に当て嵌まるように、支持体８の残りと一緒に単一片として成形してよい。
【００７３】
突出要素はまた、図１３に示すように、横部分８ａと８ｂに担わせて、その上を走るヒータ部材４を有する中央部分８ｃにこれを固定することも出来る。
【００７４】
それぞれの横部分８ａと８ｂは、着脱式又は固定式いずれでも中央部分８ｃに各種の方法で固定することが出来る。
【００７５】
部分８ａ、８ｂ、８ｃに、例えば、中央部分８ｃの溝２２や横部分８ａ、８ｂ上の捕捉リブ２３のような相補的部材を備えるために、横部分８ａ、８ｂは図１５に示すように、中央部分８ｃの反対面にスナップ留めで固定しても良い。  
【００７６】
滑斜面、接着、ヒートシール、又は少なくも一つの追加部品を経由する可能性など、別の固定手段もまた考えられる。
【００７７】
適切な場合には、横部分８ａと８ｂを着脱式に固定することにより、適用する睫毛の性質又は化粧の種類に最も適するものを選ぶためなど、各種の突出要素６の中から選ぶことが可能になる。
【００７８】
列の中では、突出要素全部を完全に整列させる又は、図１４に示すように幾何学的分離面Ｓの両側に要素自体を交互に突出させてその根元だけを整列させる。
【００７９】
頭部３の上の突出要素６の配置は変更することが出来るので、特に、図１７に示すように、互いの間にＶ−型の溝１５を形成するよう突出要素６をその自由端１１に向かって次第に細くなる形にすることが出来る。
【００８０】
一列の突出要素６ａを装置の近接端又は遠隔端に向かって斜めに伸ばす一方、別の列５の突出要素６ｂを反対方向に伸ばし、それらの間に二つの突出要素が、図１８に示すように、Ｖ−形空間１５を形成するようにすることも可能である。
【００８１】
突出要素６には、図１９に示すように端をほぼ平坦にするなど、尖らない自由端１１を持たせてもよい。
【００８２】
突出要素６はまた、図２０に示すように、波形でもよい。
【００８３】
突出要素の別の例は、ここに参照して組込む米国特許６  ４１２  ４９６、６  ５８１  ６１０及び６  ５３９  ９５０号に記述されている。
【００８４】
突出要素は多種多様の断面、特に円形、非円形、長方形、多角形、及び特に三角形又は正方形を示す。この表は限定するものではない。
【００８５】
列内の突出要素６は、整列していてもそうでなくてもよい。
【００８６】
本発明は、突出要素の特定の型には限定されないので、歯の代わりに、マスカラブラシに通常見られる種類の剛毛など、剛毛を用いることも可能である。
【００８７】
この目的で、突出要素を各種のプラスチック材料特に熱可塑性エラストマ、熱硬化性エラストマ、又は触媒樹脂から、ヒータ部材４が放出する熱に望ましく耐えるのに使用する材料を用いて作ることが可能である。
【００８８】
ヒータ部材４は各種の方法で支持体８の上に保持する。特に、ヒータ部材４を部分的に支持体８の材料の中に埋込んでその両軸端のみで支える。
【００８９】
図１の実施例においては、ハウジング２が、頭部３から遠い方の端で栓により閉じられている。この栓は、開くとハウジング２の内部に手が届くようになって、ヒータ部材４の設置又は電源の設置、若しくは電池の交換などが出来る。
【００９０】
当然ながら、ハウジング２を何か別の方法で構成することに関しては本発明の範囲を超えない。
【００９１】
一例として、図２１から２５及び図２６から３１は、ケーシング２がハーフシェル二つを含む実施例二つを示す。図で見られるように、上部ハーフシェルは突出要素６の列５を備える頭部で、これは下部ハーフシェルに対し固定手段を用いて固定される。記述例におけるその固定手段は、図面上にハイライトされている相補形状と連携するため、一方のハーフシェルと他方のハーフシェル上のリブ１９を備える。
【００９２】
これにより、電源を第１ハーフシェルに設置し、次いでその上に第２ハーフシェルを固定するのが容易になる。
【００９３】
このような構成はまた、二つのハーフシェルが、それぞれ単一部品を構成するなど、射出成形されるのを可能にするなど、装置の製造を容易にする。
【００９４】
ハウジング２は、電源制御用のボタンを受け入れるための開口部２５を有する。
【００９５】
ハウジング２はまた、閉鎖キャップの上の対応するビーズと連携する環状溝１６、列５の突出要素６及びヒータ部材を保護することが出来るようにしている。
【００９６】
図２１から２５に示す装置の列５の突出要素６は支持体８に対し、自由端が装置の縦方向中央面から離れて伸びるよう、接続されている。装置の縦方向中央面は図２２では紙面に対して平らな面、図２３では紙面に対して垂直の面である。記述例に置いてこれは、装置の対称面を構成する。
【００９７】
図２６から３１の実施例においては、この列５の突出要素６が別様に配置されている。この例の列５の突出要素６は、中央面に対して平行の方向に向かうものと、要素の自由端に進むにつれ中央面から離れる方向を向かって伸びるものがある。したがって与えられる列５の突出要素６は、交互に幾何学的分離面の両側に伸びる。列の縦軸に沿って眺めるとき、これらの間にＶ−型の溝を作っている。
【００９８】
中央面から離れる突出要素は、中央面に対して10°から45°の範囲、又は、15°から40°の範囲、若しくは実際に20°から35°の範囲に入り、約25°などになる角度を作る。
【００９９】
図２１から３１に示す装置の各々は、外向きに窪む一面があり、前記面に接続される突出要素６の付く支持体８を有する。
【０１００】
加えて、図２１から図３１に示す装置の各々は、瞼がヒータ部材４と接触するのを防止するためリブ１３を有する。これらのリブ１３は、装置の縦軸Ｘを通常横切って伸び、形状は概ね環状の弓形、特に半円形を構成し、ヒータ部材４を覆っている。
【０１０１】
加えて、これらは丸味のある頭頂縁を示し、装置を睫毛又は瞼に対して動かし易いようにしている。
【０１０２】
図１から３１に示す装置は、ユーザがマスカラを塗布し及び／又は睫毛を分離し及び／又はこれらにヒータ部材４が放出する熱を睫毛にあてることが出来るようにするハウジングに一体化してよい。このようなハウジングは各種の方法で構成される。
【０１０３】
一例として、図３２は、本発明による装置の閉鎖キャップ２０が、手入れ製品、美顔用品、又はマスカラなどの化粧品を収容するのに適する受入容器３１に固定されるハウジング３０を示す。
【０１０４】
受入容器３１は、棒３３の第１端が固定される閉鎖キャップ３２を用いて閉鎖されている。一方、その棒の第２端には塗布具部材３４を備え、部材３４は、ブラシの剛毛を間に挟んでＵ型に折って捻った金属線などを含むブラシによって構成される。
【０１０５】
変形においては、図３３に示すように、閉鎖キャップ２０は受入容器３１に接続する必要はなく、代わりに受入容器３１を閉じるためのキャップ３２に接続してもよい。
【０１０６】
別の変形においては、図３４に示すように、受入容器３１を本発明の装置のハウジング２に対し接続して、ハウジング２と薬剤を収容する受入容器３１によって構成する組立体に本発明の装置のための把手としての機能を持たせる。
【０１０７】
別の変形においては、図３５に示すように、本発明に従う装置のハウジング２に接続されるのは受入容器３１の閉鎖キャップ３２である。
【０１０８】
用語「接続される」は、随意に取外し可能、それらと一体で作られる、特にプラスチック材料の単一片として成形されるなどの方法で接続されることを意味する。
【０１０９】
さらに別の変形においては、図３６に示すように、本発明の装置は、閉鎖キャップ２０と閉鎖キャップ３２により閉じられる受入容器３１とが互いに単独で構成され、両者が共通のケース４０，ケース４０の別個の二つのハウジング４１などに収容される。
【０１１０】
図３２から３６に示す装置を用いて、ユーザは薬剤を容易に睫毛に塗布し、次いで睫毛をカールすることが出来る。これら二つの操作は連続して又は互いに単独で行うことが可能になる。
【０１１１】
記述を通じ、請求項を含めて、用語「含む」は、別に明記しない限り、「少なくも一つは含む」と同義であると理解しなければならない。
【図面の簡単な説明】
【０１１２】
【図１】本発明に従って作成される実施例の概略斜視図。
【図２】図１の装置の部分平面図。
【図３】図２の線分ＩＩＩ−ＩＩＩに沿った概略部分断面図。
【図４】図２の線分ＩＶ−ＩＶに沿う概略部分図。
【図５】図１の装置の使用法の例を示す概略図。
【図６】図１の装置の使用法の例を示す概略図。
【図７】図１の装置の使用法の例を示す概略図。
【図８】図１の装置の使用法の例を示す概略図。
【図９】図４に類似の断面で変形実施例。
【図１０】図４に類似の断面で変形実施例。
【図１１】図４に類似の断面で変形実施例。
【図１２】図４に類似の断面で変形実施例。
【図１３】図４に類似の断面で変形実施例。
【図１４】図４に類似の断面で変形実施例。
【図１５】図１３の装置の中央部分に組込まれる側方部分。
【図１６】突出要素を配列することのできる他の数ある方法の中の各種例を示す概略側面図。
【図１７】突出要素を配列することのできる他の数ある方法の中の各種例を示す概略側面図。
【図１８】突出要素を配列することのできる他の数ある方法の中の各種例を示す概略側面図。
【図１９】突出要素を配列することのできる他の数ある方法の中の各種例を示す概略側面図。
【図２０】は、突出要素を配列することのできる他の数ある方法の中の各種例を示す概略側面図。
【図２１】本発明の変形実施例を示す概略部分斜視図。
【図２２】図２１の装置の概略部分側面図。
【図２３】図２１の装置の概略部分平面図。
【図２４】図２１の矢印ＸＸＩＶに沿って眺めた部分概略図。
【図２５】図２３のＸＸＶ−ＸＸＶ上の概略部分断面図。
【図２６】本発明の変形実施例の概略部分斜視図。
【図２７】図２６の装置の概略部分側面図。
【図２８】図２６の装置の概略部分平面図。
【図２９】図２６の矢印ＸＸＩＸに沿って眺めた部分概略図。
【図３０】図２８のＸＸＸ−ＸＸＸ上の概略部分断面図。
【図３１】図２８のＸＸＸＩ−ＸＸＸＩ上の概略部分断面図。
【図３２】本発明の変形実施例を示す概略部分縦断面図。
【図３３】本発明の変形実施例を示す概略部分縦断面図。
【図３４】本発明の変形実施例を示す概略部分縦断面図。
【図３５】本発明の変形実施例を示す概略部分縦断面図。
【図３６】本発明の変形実施例を示す概略部分縦断面図。
【図１】
2005193020.tif 000003
【図２】
2005193020.tif 000004
【図３】
2005193020.tif 000005
【図４】
2005193020.tif 000006
【図５】
2005193020.tif 000007
【図６】
2005193020.tif 000008
【図７】
2005193020.tif 000009
【図８】
2005193020.tif 000010
【図９】
2005193020.tif 000011
【図１０】
2005193020.tif 000012
【図１１】
2005193020.tif 000013
【図１２】
2005193020.tif 000014
【図１３】
2005193020.tif 000015
【図１４】
2005193020.tif 000016
【図１５】
2005193020.tif 000017
【図１６】
2005193020.tif 000018
【図１７】
2005193020.tif 000019
【図１８】
2005193020.tif 000020
【図１９】
2005193020.tif 000021
【図２０】
2005193020.tif 000022
【図２１】
2005193020.tif 000023
【図２２】
2005193020.tif 000024
【図２３】
2005193020.tif 000025
【図２４】
2005193020.tif 000026
【図２５】
2005193020.tif 000027
【図２６】
2005193020.tif 000028
【図２７】
2005193020.tif 000029
【図２８】
2005193020.tif 000030
【図２９】
2005193020.tif 000031
【図３０】
2005193020.tif 000032
【図３１】
2005193020.tif 000033
【図３２】
2005193020.tif 000034
【図３３】
2005193020.tif 000035
【図３４】
2005193020.tif 000036
【図３５】
2005193020.tif 000037
【図３６】
2005193020.tif 000038
【外国語明細書】
2005193020.tif 000039
2005193020.tif 000040
2005193020.tif 000041
2005193020.tif 000042
2005193020.tif 000043
2005193020.tif 000044
2005193020.tif 000045
2005193020.tif 000046
2005193020.tif 000047
2005193020.tif 000048
2005193020.tif 000049
2005193020.tif 000050
2005193020.tif 000051
2005193020.tif 000052
2005193020.tif 000053
2005193020.tif 000054
2005193020.tif 000055
2005193020.tif 000056
2005193020.tif 000057
2005193020.tif 000058
2005193020.tif 000059
2005193020.tif 000060
2005193020.tif 000061
2005193020.tif 000062
2005193020.tif 000063
2005193020.tif 000064
2005193020.tif 000065
2005193020.tif 000066
2005193020.tif 000067
2005193020.tif 000068
2005193020.tif 000069
2005193020.tif 000070
2005193020.tif 000071